(57)【要約】【課題】  性状の異なる燃料蒸気を吸着した複数キャニスタからのパージ混合気による燃焼室内混合気のオクタン価変化を求める。【解決手段】  機関１００に高オクタン価ガソリン用キャニスタ２５０Ｈと低オクタン価ガソリン用キャニスタ２５０Ｌとからパージ混合気を供給する。電子制御ユニット（ＥＣＵ）３０は、空燃比センサ３１出力に基づく空燃比フィードバック制御を行い。各キャニスタのパージ制御弁２５３Ｈ、２５３Ｌを１つずつ順に開弁して空燃比フィードバック制御の学習補正係数の値の変化に基づいて、それぞれのキャニスタからのパージ混合気中の燃料蒸気濃度を算出するとともに、パージ中に燃焼室に供給されるそれぞれの燃料蒸気量を算出し、燃焼室内の混合気の実際のオクタン価を算出する。【選択図】      図１
2006046144.tif 000002
【特許請求の範囲】
【請求項１】
燃焼室に任意の供給割合で供給される性状の異なる複数種類の燃料で運転可能な内燃機関の制御装置であって、
前記内燃機関は、前記それぞれの種類毎の燃料を貯留する燃料タンクと、それぞれの燃料タンク内に発生する燃料蒸気を機関燃焼室に導入し、大気への放散を防止するエバポパージ装置を備え、
前記制御装置は、前記各燃料タンクから機関に導入されるそれぞれの種類の燃料蒸気の量を取得するとともに、取得したそれぞれの燃料蒸気量に基づいて燃焼室内に形成される燃料混合気の性状を算出することを特徴とする、内燃機関の制御装置。
【請求項２】
前記エバポパージ装置は、前記それぞれの燃料タンク毎に設けられ、それぞれの燃料タンク内に発生する燃料蒸気を吸着するキャニスタと、
機関運転中に、前記それぞれのキャニスタをパージし、キャニスタに吸着された燃料蒸気を含むパージ混合気として機関に供給するバージ通路とを備え、
前記制御装置は、前記各パージ通路から機関に供給される各パージ混合気中の燃料蒸気濃度を取得し、取得した各燃料の燃料蒸気濃度に基づいて機関に導入される前記それぞれの種類の燃料蒸気の量を算出する、請求項１に記載の内燃機関の制御装置。
【請求項３】
更に、前記各パージ通路を流れるパージ混合気の流量を制御するパージ制御弁を備え、各パージ通路を流れるパージ混合気のうち燃料蒸気濃度が所定値以上のものがある場合には、燃料蒸気濃度が所定値以上となったパージ通路からの燃料蒸気を他のパージ通路からの燃料蒸気より優先的に機関に導入する、請求項２に記載の内燃機関の制御装置。
【発明の詳細な説明】
【技術分野】
【０００１】
本発明は、内燃機関の制御装置に関し、詳細には性状の異なる複数種類の燃料を任意の供給割合で供給し運転する内燃機関の制御装置に関する。
【背景技術】
【０００２】
性状の異なる複数種類の燃料を所定の供給割合で機関に供給し、運転を行う複数燃料供給内燃機関が知られている。
例えば、この種の機関としてはオクタン価の異なる複数種類の燃料を任意の供給割合で機関に供給する燃料供給装置を備え、機関運転中に機関の運転条件、或いは他の適宜な条件に応じて燃料供給割合を変更することにより機関に供給するもの等がある。
【０００３】
このように、運転条件に応じて高オクタン価ガソリンと低オクタン価ガソリンとの供給割合を変えて機関を運転することにより、運転条件に応じて機関に供給される燃料の全体としてのオクタン価を変更することが可能となるため、それぞれの運転条件に応じた最適な燃料オクタン価を選択することが可能となる。
【０００４】
例えば、機関低温始動後の運転時等では、着火性の良好な低オクタン価ガソリンの供給割合を増大して機関の燃焼を安定させたり、或いは機関の高負荷運転時に高オクタン価ガソリンの供給割合を増大して燃料のオクタン価を上げ、点火時期を進角させて機関出力を増大させる、等のそれぞれの運転条件に適したオクタン価を有する燃料を機関に供給することが可能となるのである。
【０００５】
一方、燃料タンクからの蒸発燃料が大気に放出されることを防止する目的で、タンク内で発生する燃料蒸気を活性炭等の吸着剤を収納したキャニスタに導き、燃料蒸気を吸着剤に吸着させて燃料蒸気の大気放出を防止するエバポパージシステムが一般に知られている。
【０００６】
エバポパージシステムでは通常、キャニスタの吸着剤が吸着した燃料蒸気で飽和してしまうことを防止するために、機関の所定運転条件下でキャニスタ内にパージ空気を通過させ、吸着した燃料蒸気を吸着剤から脱離させるとともに、パージ空気と脱離した燃料蒸気との混合気（パージ混合気）を機関に導入して機関で燃焼させるようにしている。
通常、高オクタン価ガソリンと低オクタン価ガソリンのように性状の異なる複数の燃料を供給する機関ではそれぞれの燃料毎に燃料タンクを設け、それぞれの燃料タンクから機関に燃料を供給しているため、エバポパージシステムのキャニスタも各燃料タンク毎に設けられる。
【０００７】
複数燃料機関用のエバポパージシステムではないが、性状の異なる複数の燃料蒸気を対象としたエバポパージシステムの例としては、例えば特許文献１に記載されたものがある。
特許文献１のエバポパージシステムでは、単一の燃料タンク内で発生する燃料蒸気を分離膜により高沸点成分と低沸点成分とに分離し、それぞれの成分に対して適切な吸着性能を有するキャニスタを用いて個別に高沸点成分と低沸点成分を吸着している。
【０００８】
また特許文献１のエバポパージシステムでは、機関吸気通路負圧が小さい（絶対圧力が高い）場合には低沸点成分用のキャニスタのみを、負圧が大きい（絶対圧力が低い）場合には低沸点成分用と高沸点成分用との両方のキャニスタをパージし、吸着した燃料蒸気を機関に導入するようにしている。
【０００９】
【特許文献１】特開平４−１９４３５６号公報
【特許文献２】特開平９−４２０２２号公報
【特許文献３】特開平１１−３１５７３３号公報
【特許文献４】特開２０００−１７９３６８号公報
【発明の開示】
【発明が解決しようとする課題】
【００１０】
エバポパージシステムでキャニスタのパージが実行されると、機関には燃料噴射弁などから供給される通常の燃料に加えてパージ混合気中の燃料蒸気が燃焼室に供給されることになる。通常、例えば排気通路に設けた空燃比センサの出力に基づいて機関空燃比のフィードバック制御を行う場合には、キャニスタのパージにより燃料蒸気が機関に供給された場合であっても空燃比センサ出力に基づいて機関空燃比が目標値になるように機関燃料噴射量がフィードバック制御されるため、パージの有無により機関空燃比が影響を受けることはない。
【００１１】
上記のように性状の異なる燃料用の複数の燃料タンクを有する機関のエバポパージシステムでは、各燃料タンク毎にキャニスタが設けられるため、各キャニスタのパージを行うと各キャニスタからは性状（オクタン価など）の異なる燃料蒸気が機関に供給されるようになる。
この場合についても、空燃比フィードバック制御を行う機関であれば、単一燃料の場合と同様にパージ混合気として供給される燃料蒸気に応じて燃料噴射量が調整されるため、機関空燃比がパージによって影響を受けることはない。
【００１２】
ところが、この場合には、各キャニスタからオクタン価が異なる複数種類の燃料蒸気が供給されるため、空燃比には変化がないものの供給された燃料蒸気により最終的に燃焼室内に形成される燃料のオクタン価等の性状が異なってくる場合が生じる。
【００１３】
通常、複数の燃料を供給する内燃機関では、各燃料の供給割合（燃料噴射量の割合）に応じて、すなわち供給燃料全体としてのオクタン価に応じて点火時期が設定される。しかし、パージによりオクタン価が異なる燃料の蒸気が燃焼室に供給されると燃焼室内に形成される混合気のオクタン価が燃料の供給割合から定まるオクタン価から変化してしまうため、燃料噴射量割合に応じて点火時期を設定しただけでは、実際の混合気オクタン価に対して最適な点火時期を得ることができなくなる問題が生じる。
【００１４】
ところが、特許文献１は、上記のように、パージにより複数のキャニスタからそれぞれ性状の異なる燃料蒸気が供給される場合の燃焼室内における燃料混合気の性状変化の問題については何ら認識していない。このため、特許文献１の装置では実際の混合気オクタン価に対して点火時期が適合しない場合が生じ、ノッキングの発生や燃費悪化などが生じる場合がある。
【００１５】
本発明は上記問題に鑑み、性状の異なる複数種類の燃料蒸気を機関に導入する場合に、供給される燃料蒸気による燃焼室内の混合気の性状の変化を正確に取得することにより、点火時期などの機関制御パラメータを実際の混合気の性状に応じて最適な値に制御することを可能とする内燃機関の制御装置を提供することを目的としている。
【課題を解決するための手段】
【００１６】
請求項１に記載の発明によれば、燃焼室に任意の供給割合で供給される性状の異なる複数種類の燃料で運転可能な内燃機関の制御装置であって、前記内燃機関は、前記それぞれの種類毎の燃料を貯留する燃料タンクと、それぞれの燃料タンク内に発生する燃料蒸気を機関燃焼室に導入し、大気への放散を防止するエバポパージ装置を備え、前記制御装置は、前記各燃料タンクから機関に導入されるそれぞれの種類の燃料蒸気の量を取得するとともに、取得したそれぞれの燃料蒸気量に基づいて燃焼室内に形成される燃料混合気の性状を算出することを特徴とする、内燃機関の制御装置が提供される。
【００１７】
すなわち、請求項１の発明では、エバポパージ装置から機関に導入される燃料蒸気の量を取得し、取得したそれぞれの種類の燃料蒸気量と、機関燃焼室に供給されるそれぞれの種類の燃料量とから、最終的に燃焼室内に形成される混合気性状が算出される。
【００１８】
これにより、エバポパージ装置から燃焼室に導入される燃料蒸気により燃焼室内の混合気の性状が変化した場合であっても変化後の最終的な混合気の性状を求めることができるため、例えば最終的な混合気のオクタン価に応じて最適な点火時期を設定する、等のように混合気の性状に応じて最適な燃焼制御を行うことが可能となり、最適な燃焼状態を得ることができる。
【００１９】
なお、本明細書では「燃料蒸気の量を取得する」等の「取得する」は、センサ等を用いて対象を直接的に検出する場合と、対象とは別の検出値に基づいて計算等より対象となる値を間接的に得る場合との両方の場合を意味している。
【００２０】
請求項２に記載の発明によれば、前記エバポパージ装置は、前記それぞれの燃料タンク毎に設けられ、それぞれの燃料タンク内に発生する燃料蒸気を吸着するキャニスタと、機関運転中に、前記それぞれのキャニスタをパージし、キャニスタに吸着された燃料蒸気を含むパージ混合気として機関に供給するバージ通路とを備え、前記制御装置は、前記各パージ通路から機関に供給される各パージ混合気中の燃料蒸気濃度を取得し、取得した各燃料の燃料蒸気濃度に基づいて機関に導入される前記それぞれの種類の燃料蒸気の量を算出する、請求項１に記載の内燃機関の制御装置が提供される。
【００２１】
すなわち、請求項２の発明ではエバポパージ装置は、それぞれの燃料タンクからの燃料蒸気を吸着するキャニスタが設けられており、各キャニスタからのパージ混合気としてキャニスタに吸着された燃料蒸気が機関に供給される。
また、本発明では機関に供給される各パージ混合気中の燃料蒸気濃度が取得され、取得された燃料蒸気濃度に基づいて機関に供給されるそれぞれの燃料蒸気量が算出される。
【００２２】
なお、燃料蒸気濃度は、各パージ通路に空燃比センサを配置してパージ混合気の空燃比を検出することにより取得しても良いし、例えば機関排気通路に配置した空燃比制御用の空燃比センサ出力のパージの有無による変化に基づいて取得するようにすることも可能である。
【００２３】
請求項３に記載の発明によれば、更に、前記各パージ通路を流れるパージ混合気の流量を制御するパージ制御弁を備え、各パージ通路を流れるパージ混合気のうち燃料蒸気濃度が所定値以上のものがある場合には、燃料蒸気濃度が所定値以上となったパージ通路からの燃料蒸気を他のパージ通路からの燃料蒸気より優先的に機関に導入する、請求項２に記載の内燃機関の制御装置が提供される。
【００２４】
すなわち、請求項３の発明では、請求項２の発明に加えて、更に取得した燃料蒸気濃度が所定値以上のパージ混合気がある場合には、そのパージ混合気を優先的に機関に供給する。
例えば、キャニスタを用いて燃料蒸気を吸着する場合には吸着した燃料蒸気量が増大するほどパージ実行時にパージ混合気中の燃料蒸気濃度が増大する。このため、パージ混合気中の燃料蒸気濃度が高いほどキャニスタが吸着した燃料蒸気で飽和する可能性が高くなっている。
【００２５】
このため、本発明では、あるキャニスタからの（あるパージ通路からの）パージ混合気中の燃料蒸気濃度が所定値以上となった場合には、そのキャニスタを優先的にパージすることとして、例えば他のキャニスタからのパージ通路からのパージ混合気の流量をパージ制御弁を用いて絞り、燃料蒸気濃度が高いキャニスタからのパー混合気の流量を相対的に増大させる。
【００２６】
これにより、燃料蒸気の吸着量が増大したキャニスタが優先的にパージされるため、キャニスタが燃料蒸気で飽和することが防止される。
【発明の効果】
【００２７】
各請求項に記載の発明によれば、性状の異なる複数種類の燃料蒸気を機関に導入する場合に、供給される燃料蒸気による燃焼室内の混合気の性状の変化を正確に取得することが可能となり、点火時期などの機関制御パラメータを実際の混合気の性状に応じて最適な値に制御することが可能となる共通の効果を奏する。
【発明を実施するための最良の形態】
【００２８】
以下、添付図面を用いて本発明の実施形態について説明する。
図１は、本発明を自動車用内燃機関に適用した場合の実施形態の概略構成を説明する図である。
【００２９】
図１において、１００は車両用内燃機関であり、本実施形態では４気筒ガソリンエンジンが使用されている。また図１、１１０Ｈ、１１０Ｌは内燃機関１の各気筒にそれぞれ設けられた燃料噴射弁を示す。本実施形態では、燃料噴射弁１１０Ｈは各気筒の吸気ポートに燃料を噴射するポート噴射弁、燃料噴射弁１１０Ｌは各気筒内に直接燃料を噴射する筒内噴射弁とされている。
【００３０】
後述するように、本実施形態の内燃機関１００は燃料噴射弁１１０Ｈと１１０Ｌとからオクタン価の異なる燃料を機関運転条件に応じた供給割合で噴射する複数燃料供給内燃機関とされている。具体的には、本実施形態では燃料噴射弁１１０Ｈから高オクタン価ガソリンを吸気ポートに、燃料噴射弁１１０Ｌからは低オクタン価ガソリンを気筒内に直接、それぞれ噴射するとともに、燃料噴射弁１１０Ｈと１１０Ｌからの燃料噴射量の比率（供給割合）を機関運転条件（例えば機関負荷）に応じて変更する制御を行う。
【００３１】
高オクタン価ガソリン用噴射弁１１０Ｈと低オクタン価ガソリン用噴射弁１１０Ｌは、それぞれ高オクタン価ガソリン用デリバリパイプ２０Ｈと低オクタン価ガソリン用デリバリパイプ２０Ｌに接続されており、デリバリパイプ２０Ｈ、２０Ｌ内の燃料を各気筒にそれぞれ噴射する。
【００３２】
なお、図１の実施形態では高オクタン価ガソリンをポート噴射弁１１０Ｈから、低オクタン価ガソリンを筒内噴射弁１１０Ｌから、それぞれ個別に各気筒に噴射しているが、燃料噴射弁１１０Ｈと１１０Ｌとの両方ともにポート噴射弁または筒内噴射弁とすることも可能である。また、この両方をポート噴射弁または筒内噴射弁とする場合に高オクタン価ガソリン用燃料噴射弁１１０Ｈと低オクタン価ガソリン用燃料噴射弁１１０Ｌとを個別に設けずに、デリバリパイプ２０Ｈと２０Ｌとを単一の筒内燃料噴射弁に接続し、燃料噴射弁供給前に、或いは燃料噴射弁供給後に燃料噴射弁内で、高オクタン価ガソリンと低オクタン価燃料とを所定の割合で混合するようにしても良い。
【００３３】
図１において、１１Ｈ、１１Ｌで示すのは機関１００の燃料タンクである。本実施形態では、オクタン価の異なる２つの燃料油を燃料噴射弁１１０Ｈと１１０Ｌとから機関に噴射するために、それぞれの燃料タンクを別個に設けている。
【００３４】
図１において、燃料タンク１１Ｈには高オクタンガソリンが、１１Ｌには低オクタンガソリンがそれぞれ貯留されている。本実施形態では、高オクタン価ガソリンと低オクタン価ガソリンとは、それぞれ外部からタンク１１Ｈと１１Ｌとに別々に補給するようにしているが、例えば、市販の通常ガソリンをオクタン価の高い成分の含有量が多い高オクタン価ガソリンとオクタン価の高い成分の含有量が少ない低オクタン価ガソリンとに分離する燃料分離装置を車両上に配置し、燃料分離装置で生成した高オクタン価ガソリンと低オクタン価ガソリンとをタンク１１Ｈと１１Ｌとに貯留するようにしても良い。
【００３５】
燃料タンク１１Ｈと１１Ｌとに貯留された燃料は、吐出容量制御機構を備えた燃料噴射ポンプ２１Ｈ、２１Ｌにより昇圧されて燃料噴射弁１１０Ｈ、１１０Ｌに供給され、それぞれの燃料噴射弁から機関１００の各気筒に噴射される。
【００３６】
すなわち、本実施形態では、高オクタン価ガソリンと低オクタン価ガソリンとは、互いに独立した供給経路を通って機関１００の各気筒に供給され、それぞれの燃料噴射弁の燃料噴射量を個別に制御することにより、機関に供給する高オクタン価ガソリンと低オクタン価ガソリンとの供給割合を任意に設定することができる。
【００３７】
図１において２５０Ｈ、２５０Ｌで示すのは、それぞれの燃料タンク１１Ｈ、１１Ｌ内の蒸発燃料を吸着するキャニスタである。
キャニスタ２５０Ｈ、２５０Ｌはそれぞれ活性炭などの吸着剤を備えており、それぞれベーパー通路２５２Ｈ、２５２Ｌにより燃料タンク１１Ｈと１１Ｌの燃料タンク内液面上部空間に接続されている。これにより、燃料タンク１１Ｈ内で発生した高オクタン価ガソリンの燃料蒸気はキャニスタ２５０Ｈに、燃料タンク１１Ｌ内で発生した低オクタン価ガソリンの燃料蒸気はキャニスタ２５０Ｌに、それぞれベーパー通路２５２Ｈ、２５２Ｌを介して導かれ、キャニスタ２５０Ｈ、２５０Ｌ内の吸着剤に吸着、保持されるため、燃料タンク１１Ｈ、１１Ｌから大気に放散されることが防止される。
【００３８】
また、キャニスタ２５０Ｈ、２５０Ｌは、それぞれパージ通路２５１Ｈ、２５１Ｌにより吸気通路３の図示しないスロットル弁下流側に接続されており、パージ通路２５１Ｈ、２５１Ｌ上には、それぞれパージ制御弁２５３Ｈ、２５３Ｌが設けられている。
【００３９】
パージ制御弁２５３Ｈ、２５３Ｌは、例えばソレノイドアクチュエータを備え、後述するＥＣＵ３０からの駆動パルス信号に応じて開閉する。
すなわち、パージ制御弁２５３Ｈ、２５３Ｌは、駆動パルス信号の１周期のうち、パルス信号がオンになっている間開弁し、オフになっている間閉弁する動作を繰返している。従って、パージ制御弁を通るパージガス流量は、駆動パルス信号の１周期のうち、パルス信号がオンになっている時間の割合（デューティ比）に応じて増大する。
【００４０】
機関運転中にパージ制御弁２５３Ｈ、２５３Ｌに駆動パルス信号が供給されるとキャニスタ内２５０Ｈ、２５０Ｌ内の吸着剤に吸着された蒸発燃料は、各キャニスタの大気導入通路２５５Ｈ、２５５Ｌからキャニスタ内に流入するパージ空気により吸着材から離脱し、パージ混合気となってパージ制御弁２５３Ｈ、２５３Ｌを通ってから吸気通路３に流入する。これにより、キャニスタ内の吸着剤が吸着した燃料蒸気で飽和することが防止される。
【００４１】
キャニスタ２５０Ｈ、２５０Ｌからパージ制御弁２５３Ｈ、２５３Ｌを通って吸気通路３に流入したパージ混合気は、吸気通路３内で機関の吸入空気と混合して一様な混合気となり機関の各気筒内に吸入され、気筒内で燃焼する。
キャニスタ２５０Ｈ、２５０Ｌから機関に供給されるパージ混合気の流量はパージ制御弁２５３Ｈ、２５３Ｌのデューティ比を制御することにより、それぞれ０から１００パーセントまで任意に調節することが可能である。
【００４２】
図１に３０で示すのは機関１００の電子制御ユニット（ＥＣＵ）である。本実施形態では、ＥＣＵ３０は、リードオンリメモリ（ＲＯＭ）、ランダムアクセスメモリ（ＲＡＭ）、演算ユニット（ＣＰＵ）及び入出力ポートを双方向性バスで接続した公知の構成のマイクロコンピュータとして構成され、例えば機関の空燃比制御、各気筒の点火時期、燃料噴射量の制御、などの基本制御を行っている他、本実施形態では、後述するようにキャニスタ２５０Ｈ、２５０Ｌからのパージ混合気として機関に流入する燃料蒸気の量に応じて、機関燃焼室内に形成される混合気のオクタン価を算出する操作を行う。
【００４３】
これらの制御のため、ＥＣＵ３０の出力ポートは、図示しない駆動回路を介して各気筒の燃料噴射弁１１０Ｈ、１１０Ｌに接続されそれぞれの燃料噴射弁の燃料噴射量を制御している他、図示しない点火回路を介して各気筒の点火プラグ（図示せず）に接続され、機関の点火時期を制御している。また、ＥＣＵ３０の入力ポートには、回転数センサ３３から機関１の回転数が、機関吸気通路３に設けられた吸気圧センサ３５から機関の吸気圧力が、また、機関排気通路５に配置した空燃比センサ３１から機関排気の空燃比が、それぞれ入力されている。
【００４４】
本実施形態では、ＥＣＵ３０は、吸気圧センサ３５で検出した吸気圧力と回転数センサ３３で求めた機関回転数とに基づいて、機関吸入空気量を算出し、この吸入空気量に対して機関燃焼空燃比を目標空燃比（例えば理論空燃比）にするために必要とされる燃料噴射量Ｇ0（重量）を算出する。
【００４５】
燃料噴射弁１１０Ｈと１１０Ｌとの実際の燃料噴射量はそれぞれ１回に噴射する燃料の体積ＱＨ、ＱＬ（ｍｌ）として制御され、それぞれ以下の式で与えられる。
ＱＨ＝Ｇ0×ＫＨ×Ｒ×ＦＡＦ×（１＋ＦＧＨ）
ＱＬ＝Ｇ0×ＫＬ×（１−Ｒ）×ＦＡＦ×（１＋ＦＧＬ）
【００４６】
ここで、ＫＨ、ＫＬは燃料の重量（Ｇ0）を燃料体積（ＱＨ、ＱＬ）に換算するための係数であり、高オクタン価ガソリンと低オクタン価ガソリンそれぞれの規定の比重を用いて予め算出された一定値が用いられる。
また、ＦＡＦは前述した空燃比センサ３１に基づく空燃比補正係数、ＦＧＨ、ＦＧＬは後述する学習補正係数である。
【００４７】
また、Ｒは全体の燃料噴射量に閉める燃料噴射弁１１０Ｈの噴射量割合、すなわち高オクタン価ガソリンの供給割合であり、ＥＣＵ３０により機関運転状態（機関負荷）に応じて予め定めた関係に基づいて設定される。
【００４８】
例えば機関が高負荷で運転されるような場合には、ＥＣＵ３０は負荷が低い場合に較べて高オクタン価ガソリンの供給割合を増大させる。これにより、機関に供給される燃料の全体としてのオクタン価が上昇するため、点火時期を最大出力点火時期近くまで十分に進角させた運転を行い機関出力を増大させることが可能となる。
【００４９】
また、機関温度が低い場合などにはＥＣＵ３０は機関への低オクタン価ガソリンの供給割合を増大させる。低オクタン価ガソリンは一般に着火性が良好であるためこれにより、機関低温時にも燃焼状態が良好になり排気性状を良好に維持しつつ安定した運転を行うことができる。
【００５０】
次に、空燃比制御における学習補正係数について説明する。後述するように、本実施形態では、キャニスタ２５０Ｈと２５０Ｌとから異なるオクタン価を有する燃料蒸気が機関燃焼室に供給されるため、燃焼室内に実際に形成される混合気のオクタン価は、前述の供給割合Ｒから定まるオクタン価とは異なってくる。
本実施形態では、学習補正係数を用いてキャニスタ２５０Ｈと２５０Ｌとから供給される燃料蒸気の量を算出し、これらの燃料蒸気量と供給割合Ｒとを用いて最終的な混合気のオクタン価を算出している。
【００５１】
説明を簡単にするために、まず、単一燃料で機関を運転している場合を例にとって学習補正係数について説明すると、機関の燃料噴射量Ｑ（ｍｌ）は、Ｑ＝Ｇ0×Ｋ×ＦＡＦ×（１＋ＦＧ）で表される。
【００５２】
ここで、前述したように、Ｇ0は機関吸入空気量に対して燃焼空燃比を目標空燃比とするために必要な燃料量（基準燃料量）であり、機関吸入空気量と目標空燃比とから算出される。また、Ｋは重量（Ｇ0）から体積（Ｑ）への換算定数、ＦＡＦは空燃比補正係数、ＦＧは学習補正係数である。
【００５３】
ＦＡＦは、運転条件の変動などによりＧ0と吸入空気量との対応が一時的にずれた場合などにも空燃比を正確に目標空燃比に一致させるためのフィードバック補正係数であり、排気空燃比センサで計測した排気空燃比が上記目標空燃比になるように毎回の燃料噴射時に設定される。
【００５４】
また、学習補正係数は例えば燃料噴射弁の噴射特性のばらつきなどによる偏差を補正するためのものである。上述したように、空燃比制御においては空燃比センサ３１出力に基づいて排気空燃比（燃焼空燃比）が目標空燃比になるように燃料噴射量が補正されるのであるから、本来燃料噴射弁の噴射特性のばらつきがあったとしてもＦＡＦの値がそれに応じて変化するためばらつきの影響は生じないはずである。
【００５５】
しかし、本来ＦＡＦの値はセンサーや燃料噴射弁特性のばらつき等の誤差がなければ変動の中心は１．０となる。また、制御の発散を防止する目的で、ＦＡＦの値には１．０を中心とする所定の上限値と下限値とが設けられている。このため、燃料噴射弁の噴射特性のばらつきなどがあると、ＦＡＦの値は１．０よりも大きい値（または小さい値）を中心にして変化するようになり、ＦＡＦの上限値までの変化範囲（あるいは下限値までの変化範囲）が狭くなり、制御範囲が制約される問題がある。
【００５６】
そこで、通常の空燃比制御では、例えば燃料噴射弁の噴射特性のばらつきなどのように、恒常的な変化については学習補正係数を用いて補正し、ＦＡＦは常に上限値と下限値との中央（１．０）付近で変動するようにして運転状態の変化などによる一時的な空燃比変化を補正するようにしている。
【００５７】
すなわち、学習補正係数ＦＧの値は、空燃比補正係数ＦＡＦの変動の中心値が１．０に一致する値に設定される。例えばＦＡＦの値が１．００５を中心に変動するようになった場合には、ＦＧの値は０．００５に設定される（１＋ＦＧ＝１．００５）。このように学習補正係数ＦＧを設定することにより、ＦＡＦの値は常に１．０を中心に変動するようになる。
【００５８】
ＥＣＵ３０は別途実行される学習補正係数算出操作で、空燃比補正係数ＦＡＦの時間平均値を算出し、この平均値を１．０にする値を学習補正係数ＦＧとして設定、記憶する。これにより、運転状態の変化により一時的に空燃比がずれた場合にも応答良く空燃比を目標値に一致するように補正することができる。
【００５９】
この学習補正係数ＦＧの値は、機関負荷などの運転条件によっても変化するため、通常機関の運転負荷領域をいくつかの領域に区分して、各領域毎に学習補正係数ＦＧの値を設定している。
また、本実施形態のように複数燃料を個別の燃料噴射弁から噴射するような場合には、各燃料噴射弁毎に学習補正係数を設定する。
このため、本実施形態では高オクタン価ガソリン用燃料噴射弁１１０Ｈと低オクタン価ガソリン用燃料噴射弁１１０Ｌとの両方について学習補正係数が個別に設定されている。
【００６０】
学習補正係数ＦＧは燃料噴射弁の噴射特性のばらつきや摩耗などによるずれなどの恒常的な変化を補償するものであり、噴射特性などが標準状態に一致していれば０になる。また、標準状態からのずれが大きくなるほどＦＧの絶対値は大きくなり、（１＋ＦＧ）の値と１との偏差は大きくなる。
【００６１】
前述したように、キャニスタからのパージが行われると本実施形態では、キャニスタ２５０Ｈからは高オクタン価ガソリンの燃料蒸気が、キャニスタ２５０Ｌからは低オクタン価ガソリンの燃料蒸気が、それぞれ機関燃焼室に供給されるため所定の供給割合で高オクタン価ガソリンと低オクタン価ガソリンとが燃料噴射弁１１０Ｈと１１０Ｌから噴射されていた場合であっても実際に燃焼室内に形成される混合気のオクタン価は、高オクタン価ガソリンと低オクタン価ガソリンとの供給割合（燃料噴射割合）から算出される値とは異なってきてしまう。
【００６２】
この場合も、上記学習補正が行われると機関空燃比は目標空燃比に正確に維持される。ところが、最適点火時期は混合気のオクタン価に応じて変化するため、キャニスタからのパージ混合気により、燃焼室内の混合気のオクタン価が変化すると最適点火時期も上記供給割合から算出されるオクタン価に適した点火時期から変化してしまい、供給割合から定まる点火時期で機関を運転しているとノッキングが生じたり、点火時期を進角して出力を十分に増大できるにもかかわらず十分に点火時期を進角しないで運転するため、機関性能や燃費が悪化するような場合が生じる。
【００６３】
本実施形態では、キャニスタから流入するパージ混合気中の高オクタン価ガソリンと低オクタン価ガソリンとの燃料蒸気量を求め、この燃料蒸気量と各燃料の供給割合とから燃焼室内に形成される混合気の実際のオクタン価を算出し、実際のオクタン価に基づいて最適点火時期を設定することにより上記の問題を解決している。
【００６４】
キャニスタからのパージ混合気中の燃料蒸気量は、各パージ通路、若しくは機関吸気通路に空燃比センサを設け、パージ実行時のパージ混合気または吸気の空燃比を検出して各キャニスタからの燃料蒸気濃度を直接的に求めても良いが、本実施形態ではパージ実行の有無による上記空燃比制御の学習補正係数の値の変化に基づいて各キャニスタからの燃料蒸気濃度を算出するようにしている。
【００６５】
上述したように、学習補正係数ＦＧの値は燃料噴射弁の噴射特性等のばらつきやずれに応じて変化するが、燃料噴射弁から噴射される燃料以外の燃料、例えば各キャニスタからのパージ混合気中の燃料蒸気などが機関燃焼室に供給された場合にも変化する。
例えば、パージ開始前に学習補正係数の値がＦＧ0に収束していたとする。この状態でパージを開始したときに、学習補正係数の値が変化して（ＦＧ0−α）に収束したとする。
【００６６】
前述したように、機関の燃料噴射量Ｑは、Ｑ＝Ｇ0×Ｋ×ＦＡＦ×（１＋ＦＧ）で表される。従って、この場合にはパージ開始前の燃料噴射量Ｑ0は、Ｑ0＝Ｇ0×Ｋ×ＦＡＦ×（１＋ＦＧ0）、パージ実行後の燃料噴射量Ｑｐｇは、Ｑｐｇ＝Ｇ0×Ｋ×ＦＡＦ×（１＋（ＦＧ−α））となる。
【００６７】
すなわち、パージ開始後は燃料噴射量が（Ｑ0−Ｑｐｇ）＝Ｇ0×Ｋ×ＦＡＦ×αだけ減少したことになる。ここで、パージ開始前後で空燃比フィードバック制御により機関空燃比は同一に維持されており、機関燃焼室に供給される燃料量の合計は同一になっている。このため、上記パージ開始後の燃料噴射量の減少分はパージ混合気として機関燃焼室に供給された燃料蒸気量に等しい。
【００６８】
従って、キャニスタからパージ混合気として機関に供給された燃料量は、（Ｑ0−Ｑｐｇ）Ｇ0×Ｋ×ＦＡＦ×αとなる。ここで、燃料量を重量で表すと、換算計数Ｋは不要となり（Ｋ＝１．０）、更にＦＡＦの平均値は１．０であるため、ＦＡＦ＝１．０と置くと、結局キャニスタから流入する燃料蒸気量（重量）は、Ｇ0×αとして求められる。
【００６９】
また、パージ混合気流量は、パージ制御弁開度（デューティ比）と機関吸気圧力との関数として与えられる。従って、上記のようにパージ実行中の学習補正係数の変化量から求めた燃料蒸気量と、パージ制御弁開度と機関吸気圧力とから求めたパージ混合気流量とを用いて、パージ混合気中の蒸発燃料濃度を算出することができる。
【００７０】
本実施形態ではパージ混合気流量の値が予めＥＣＵ３０のＲＯＭにパージ制御弁開度と機関吸気圧力とをパラメータとした２次元数値テーブルの形で記憶されている。
ＥＣＵ３０は、各キャニスタ２５０Ｈ、２５０Ｌからのパージを行っていない状態での学習補正係数ＦＧ（基準学習補正係数）を求め、次に、キャニスタ２５０Ｈと２５０Ｌをそれぞれ個別にパージして、学習補正係数の値の基準学習補正係数からの変化を求める。
【００７１】
すなわち、例えばＥＣＵ３０はまず高オクタン価ガソリン用キャニスタ２５０Ｈのパージ制御弁２５３Ｈを所定の開度（デューティ比）（例えば、全開）に保持して、このときの学習補正係数係数の変化量ΔＨを求める。そして、次にキャニスタ２５０Ｈのパージ制御弁２５３Ｈを全閉にするとともに、低オクタン価ガソリン用キャニスタ２５０Ｌのパージ制御弁２５３Ｌを所定の開度（例えば前回）に保持して、このときの学習補正係数ＦＧの変化量ΔＬを求める。
【００７２】
そして、ＥＣＵ３０は学習補正係数変化量ΔＨ、ΔＬと、パージ混合気の流量とからそれぞれのキャニスタ２５０Ｈ、２５０Ｌからの燃料蒸気濃度ＶＰＨ、ＶＰＬを算出する。
この、キャニスタからのパージ混合気の燃料蒸気濃度は、キャニスタの燃料蒸気吸着量に依存し、パージ混合気の流量が変化してもあまり変化しないことが判明している。
【００７３】
そこで、後述するように、ＥＣＵ３０は上記により算出したパージ混合気中の燃料蒸気濃度を用いて異なる運転条件におけるパージ操作中のパージ混合気中の燃料蒸気による燃焼室内混合気のオクタン価変化を計算する。
【００７４】
また、通常のパージ操作時には各キャニスタのパージが同時に行われるが、上記により算出した各キャニスタからのパージ混合気中の燃料蒸気濃度が所定値以上になっている場合には、ＥＣＵ３０は燃料蒸気濃度が所定値以上になっているキャニスタを優先的にパージする。すなわち、燃料蒸気濃度が所定値以上になっている場合には、キャニスタの吸着した燃料蒸気量が増大している。このため、ＥＣＵ３０はこのキャニスタのパージ制御弁開度を他のキャニスタのパージ制御弁開度より大きく設定し、このキャニスタからのパージ混合気流量が他のキャニスタからのパージ混合気流量より大きくなるように設定する。これにより、吸着した燃料蒸気量が多いキャニスタからの燃料蒸気脱離が促進されキャニスタが燃料蒸気で飽和することが防止される。
【００７５】
図２から図４は、上記操作を具体的に説明するフローチャートである。
図２はＥＣＵ３０により実行される、各キャニスタからのパージ混合気の燃料蒸気濃度取得操作を説明するフローチャートである。
【００７６】
図２の操作では、まずステップ２０１で基準学習補正係数の取得が完了しているか否かが判定される。基準学習補正係数は、キャニスタのパージを行っていない状態での学習補正係数であり、各燃料噴射弁１１０Ｈ、１１０Ｌの燃料噴射特性のずれなどのように、定常的な偏差に対応するものである。
【００７７】
本実施形態では、高オクタン価ガソリン用燃料噴射弁１１０Ｈと低オクタン価ガソリン用燃料噴射弁１１０Ｌとが使用されているため、基準学習補正係数も燃料噴射弁１１０Ｈ用の値ＦＧＨＩと燃料噴射弁１１０Ｌ用の値ＦＧＬＩとの２つが個別に求められる。基準学習補正係数ＦＧＨＩとＦＧＬＩとは、それぞれの燃料噴射弁単独で燃料噴射を行う運転領域（高オクタン価ガソリンのみ、或いは低オクタン価ガソリンのみで機関が運転される領域）でパージを実行していない状態で取得される。
【００７８】
ステップ２０１で基準学習補正係数が取得されていない場合は、図２の操作は終了し、燃料蒸気濃度取得操作は基準学習補正係数が取得されるまで実行されない。
ステップ２０１で基準学習補正係数の取得が完了している場合には、次にステップ２０３で現在パージ実行許可条件が成立しているか否かが判定される。
【００７９】
本実施形態でのパージ実行許可条件は、例えば、現在機関の暖機が終了していること（機関冷却水温度が所定値以上になっていること）及び、現在空燃比センサ３１出力に基づく空燃比フィードバック制御が実行されていること、である。
ステップ２０３のパージ実行許可条件が成立していない場合には、図２の操作は終了し、燃料蒸気濃度の取得操作は実行されない。
【００８０】
ステップ２０３のパージ実行許可条件が成立している場合には、次にステップ２０５に進みフラグＸＦＧＨの値が１にセットされているか否かが判定される。ＸＦＧＨは、高オクタン価ガソリン用キャニスタ２５０Ｈからの燃料蒸気濃度の取得が完了しているか否かを表すフラグであり、機関始動時に０にセットされ、燃料蒸気濃度取得完了後（ステップ２１３）に１にセットされる。
【００８１】
ステップ２０５で高オクタン価ガソリン用キャニスタ２５０Ｈからの燃料蒸気濃度取得が完了していない場合（ＸＦＧＨ＝０）には、ステップ２０７の高オクタン価ガソリン蒸気濃度取得操作が実行される。
すなわち、ステップ２０７では、低オクタン価ガソリン用キャニスタ２５０Ｌのパージ制御弁２５３Ｌを全閉にした状態で、高オクタン価ガソリン用キャニスタ２５０Ｈのパージ制御弁２５３Ｈを所定開度（本実施形態では全開）に保持し、学習補正係数ＦＧＨＩとＦＧＬＩとの両方の値の変化が終了するのを待ち、ＦＨＧＩとＦＧＬＩのパージによる変化量（−ΔＨＨ）、（−ΔＬＨ）とを求める。
【００８２】
そして、これらの変化量から、燃料蒸気として燃焼室に供給されている燃料量（重量）ΔＧＨを、ΔＧＨ＝（Ｇ0×Ｒ×ΔＨＨ）＋（Ｇ0×（１−Ｒ）×ΔＬＨ）として算出する。
【００８３】
高オクタン価ガソリン用キャニスタ２５０Ｈからのパージ混合気中の燃料蒸気濃度（高オクタン価ガソリン蒸気濃度）ＶＰＨは、ＶＰＨ＝ΔＧＨ／ＧＰＧとして算出される。
ここで、ＧＰＧはステップ２０７におけるパージ混合気流量であり、燃料蒸気取得操作時の機関の吸気圧力とパージ制御弁開度との関数として与えられる。
【００８４】
ステップ２０７で燃料蒸気濃度ＶＰＨ算出を完了後、ステップ２０９では燃料蒸気濃度が予め定めた上限値ＶＰＨｍａｘを越えているか否かが判定され、越えている場合にはステップ２１１で高オクタン価ガソリン蒸気の高濃度フラグＦＧＨＡの値を１にセットした後、また、ＶＰＨｍａｘ以下の場合には、ステップ２１３でフラグＦＧＨＡの値をゼロにセットした後、それぞれ高オクタン価ガソリン蒸気濃度取得完了フラグＸＦＧＨの値を１にセットし、ステップ２１７に進む。
【００８５】
ステップ２１７から２２７では、低オクタン価ガソリン用キャニスタ２５０Ｌについてステップ２０５から２３５と同様な操作が行われ、低オクタン価ガソリン蒸気濃度ＶＰＬが算出される。
【００８６】
また、高オクタン価ガソリン蒸気濃度ＶＰＨと低オクタン価ガソリン蒸気濃度ＶＰＬとの両方の取得が完了した場合にはステップ２２９で燃料蒸気濃度取得完了フラグＸＦＧＨＬの値が１にセットされる。なお、フラグＸＦＧＨＬ、ＸＦＧＬの値は、フラグＸＦＧＨと同様に機関始動時にゼロにリセットされる。
【００８７】
図２の操作により、パージ実行時のキャニスタ２５０Ｈからの高オクタン価ガソリン蒸気濃度ＶＰＨとキャニスタ２５０Ｌからの低オクタン価ガソリン蒸気濃度ＶＰＬとが算出される。
【００８８】
なお、前述したように燃料蒸気濃度ＶＰＨとＶＰＬとは、上記のように学習補正係数の変化から間接的に算出する代わりに、パージ通路２５１Ｈと２５１Ｌ、またはパージ通路接続部下流側吸気通路３に配置した吸気空燃比センサを用いて直接的に検出することも可能である。
【００８９】
次に、図３を参照して、図２の操作で算出した燃料蒸気濃度を用いた、燃焼室内混合気の最終性状（本実施形態ではオクタン価）の算出と、算出結果に基づく点火時期補正操作を具体的に説明する。
図３の操作は、ＥＣＵ３０により所定の点火時期設定タイミングに行われる。
【００９０】
図３の操作では、まずステップ３０１で各キャニスタの燃料蒸気濃度取得が完了しているか否かが燃料蒸気濃度取得完了フラグＸＦＧＨＬの値に基づいて判断され、取得が完了していない場合（ＸＦＧＨＬ＝０）には、ステップ３０３以下の最終オクタン価の算出と点火時期補正は行わず操作を終了する。
【００９１】
この場合には、混合気のオクタン価と点火時期とは別途ＥＣＵ３０により実行される点火時期設定操作により、基準供給割合Ｒに基づいて設定される。
ステップ３０１で燃料蒸気濃度取得が完了していた場合（ＸＦＧＨＬ＝１）には、次にステップ３０３で現在の機関への燃料供給割合Ｒが読み込まれる。
【００９２】
本実施形態では、燃料供給割合Ｒは燃料噴射弁１１０Ｈと１１０Ｌからの燃料噴射量合計量に対する高オクタン価ガソリン（燃料噴射弁１１０Ｈ）の噴射量の比として定義される。燃料供給割合Ｒとしては、基本的には別途ＥＣＵ３０により実行される燃料供給割合設定操作により、機関負荷率、回転数、吸気圧力（吸入空気量）から予め定めた関係に基づいて決定される基準供給割合が用いられるが、必要に応じてこの基準燃料割合を、燃料タンク１１Ｈ、１１Ｌ内の燃料残量（両方の燃料の消費バランス）、ノッキングの発生の有無などを加味して変更した値を用いるようにしても良い。
【００９３】
そして、ステップ３０５、３０７では、それぞれ燃焼室に流入するパージ混合気中の高オクタン価ガソリン蒸気と低オクタン価ガソリン蒸気との量が算出される。
すなわち、ステップ３０５では、高オクタン価ガソリン用キャニスタ２５０Ｈのパージ制御弁２５３Ｈの開度（デューティ比）と、機関の吸気圧力とから現在のキャニスタ２５０Ｈのパージ混合気流量ＧＰＧＨを算出し、この流量と図２の操作で求めたパージ混合気中の高オクタン価ガソリン蒸気濃度ＶＰＨとから、燃焼室に流入する高オクタン価ガソリン蒸気量ＧＶＰＨを算出する。
【００９４】
また、ステップ３０７ではステップ３０５と同様な方法で、燃焼室に流入する低オクタン価ガソリン蒸気量ＧＶＰＬを算出する。
【００９５】
そして、ステップ３０９では、現在の燃料噴射弁１１０Ｈと１１０Ｌとの燃料噴射量からそれぞれ高オクタン価ガソリン噴射量と低オクタン価ガソリン噴射量とを求め、これらにパージにより供給される高オクタン価ガソリン蒸気量ＧＶＰＨと低オクタン価ガソリン蒸気量ＧＶＰＬとを加え、これらの混合後のオクタン価ＲＯＮを算出する。
すなわち、ステップ３０９で算出されるオクタン価ＲＯＮは、最終的に燃焼室内で形成された混合気のオクタン価である。
【００９６】
そして、ステップ３１１では上記により算出した最終的なオクタン価ＲＯＮと機関回転数、負荷とにを用いて予め定めた関係に基づいて最適点火時期ＩＧが設定される。
【００９７】
これにより、キャニスタのパージにより燃焼室内の混合気のオクタン価が変化する場合でも、変化後のオクタン価に最適な点火時期が設定されるようになり、ノッキングや燃費の悪化が防止される。
【００９８】
次に、図４はキャニスタ２５０Ｈ、２５０Ｌのパージ操作を具体的に説明するフローチャートである。本操作では、パージ実行時のそれぞれのキャニスタのパージ制御弁開度が決定される。
【００９９】
図４の操作では、まずステップ４０１で現在パージ実行許可条件が成立しているか否かが判定される。ステップ４０１のパージ実行許可条件は図２ステップ２０３のパージ実行許可条件と同一である。
ステップ４０１でパージ実行許可条件が成立していない場合には、本操作は直ちに終了する。また、パージ実行許可条件が成立していた場合にはステップ４０３以下が実行される。
【０１００】
すなわち、ステップ４０３では、まず高オクタン価ガソリン蒸気高濃度フラグＦＧＨＡが１にセットされているか否かが判定される。ＦＧＨＡは、図２の操作で高オクタン価ガソリン用キャニスタ２５０Ｈのパージ混合気中の燃料蒸気濃度が所定値を越えている場合に１にセットされるフラグであり、ＦＧＨＡが１にセットされていることは、高オクタン価ガソリン用キャニスタ２５０Ｈの燃料蒸気吸着量が増大していることを意味する。
【０１０１】
そこで、この場合にはステップ４０５に進み、キャニスタ２５０Ｈのパージ制御弁２５３Ｈ開度（デューティ比）ＤＲＨを、キャニスタ２５０Ｌのパージ制御弁２５３Ｌの開度（デューティ比）ＤＲＬより大きな値に設定する。
これにより、キャニスタ２５０Ｈのパージ空気量がキャニスタ２５０Ｌのパージ空気量より大きくなり、キャニスタ２５０Ｈがキャニスタ２５０Ｌより優先的にパージされるようになるため、キャニスタ２５０Ｈが吸着した燃料蒸気で飽和することが防止される。
【０１０２】
また、ステップ４０３でフラグＦＧＨＡが１にセットされていない場合には、次にステップ４０７で、低オクタン価ガソリン蒸気高濃度フラグＦＧＬＡの値が１にセットされているか否かを判定し、１にセットされている場合にはステップ４０９で、パージ制御弁２５３Ｌの開度（デューティ比）ＤＲＬをパージ制御弁２５３Ｈの開度（デューティ比）ＤＲＨより大きな値に設定し、低オクタン価ガソリン用キャニスタ２５０Ｌを優先的にパージし、キャニスタ２５０Ｌが吸着燃料蒸気で飽和することを防止する。
【０１０３】
また、ステップ４０７でＦＧＬＡ＝１でない場合には、キャニスタ２５０Ｈ、２５０Ｌとも吸着燃料蒸気量は増大していないため、ステップ４１１に進みパージ制御弁２５３Ｈと２５３Ｌの開度ＤＲＨ、ＤＲＬを通常の値（ＤＲＨ＝ＤＲＬ）にセットして操作を終了する。これにより、キャニスタ２５０Ｈと２５０Ｌとでほぼ均等にパージが行われるようになる。
【０１０４】
なお、上記実施形態は高オクタン価ガソリン用キャニスタ２５０Ｈと低オクタン価ガソリン用キャニスタ２５０Ｌの２つのキャニスタを設置する場合を例にとって説明したが、キャニスタ（燃料の種類）の数が３つまたはそれ以上の時も、上記実施形態と同様な操作により、燃焼室内の混合気の実際のオクタン価を求め、それに応じて点火時期を調整することが可能なことは言うまでもない。
【図面の簡単な説明】
【０１０５】
【図１】本発明を自動車用内燃機関に適用した場合の、実施形態の概略構成を説明する図である。
【図２】燃料蒸気濃度取得操作を説明するフローチャートである。
【図３】点火時期補正操作を説明するフローチャートである。
【図４】キャニスタのパージ操作を説明するフローチャートである。
【符号の説明】
【０１０６】
３    吸気通路
１１Ｈ、１１Ｌ    燃料タンク
３０    電子制御ユニット（ＥＣＵ）
３１    空燃比センサ
３５    吸気圧センサ
１１０Ｈ、１１０Ｌ    燃料噴射弁
２５０Ｈ、２５０Ｌ    キャニスタ
２５１Ｈ、２５１Ｌ    パージ通路
２５３Ｈ、２５３Ｌ    パージ制御弁
【図１】
2006046144.tif 000003
【図２】
2006046144.tif 000004
【図３】
2006046144.tif 000005
【図４】
2006046144.tif 000006